(57)【要約】【課題】  簡単な操作でダイヤルロック機能を有効にすることが可能な折り畳み型携帯電話機を提供する。【解決手段】  折り畳み型携帯電話機１の制御部１２はオートダイヤルロックの設定が行われると、待ち受け状態にあると判定し、かつ筐体開閉検知機構１９によって上側筐体と下側筐体との開状態が検知されると、オートダイヤルロック手段１２２の起動処理を実行する。制御部１２はオートダイヤルロックの設定で入力された設定時間がタイマ１４によって検出されると、オートダイヤルロック手段１２２にキー操作部１５における少なくとも解除用の暗証番号のキー入力以外のキー入力を無効とするダイヤルロック処理を行わせる。この後、折り畳み型携帯電話機１ではキー操作部１５が暗証番号のキー入力しか受け付けなくなる。【選択図】      図１                                                  
2004343677.tif 000002
【特許請求の範囲】
【請求項１】
キー操作部を含む第１の筐体と、前記第１の筐体に接続される第２の筐体とからなる携帯電話機であって、自端末が発着信の待ち受け状態で前記第１及び第２筐体が互いに重なる状態が検知されてから予め設定された設定時間が計時された時に前記キー操作部における少なくとも解除用の暗証番号のキー入力以外のキー入力を無効とすることを特徴とする携帯電話機。
【請求項２】
前記第２の筐体が前記第１の筐体に結合部を介して開閉自在に接続される折り畳み型端末であることを特徴とする請求項１記載の携帯電話機。
【請求項３】
前記第２の筐体が前記キー操作部のキー操作面に沿って回転するように結合部を介して前記第１の筐体に接続される回転型端末であることを特徴とする請求項１記載の携帯電話機。
【請求項４】
前記第２の筐体が前記第１の筐体を長手方向にスライドさせて収納自在とするスライド収納型端末であることを特徴とする請求項１記載の携帯電話機。
【請求項５】
キー操作部を含む第１の筐体と、前記第１の筐体に接続される第２の筐体とからなる携帯電話機であって、自端末が発着信の待ち受け状態か否かを判定する判定手段と、前記第１及び第２筐体が互いに重なる状態及び前記第１及び第２筐体が互いに重なる状態の解除を検知する検知手段と、前記検知手段が前記第１及び第２の筐体が互いに重なる状態を検知してから予め設定された設定時間を計時する計時手段と、前記判定手段が前記待ち受け状態と判定しかつ前記計時手段が前記設定時間の経過を検出した時に前記キー操作部における少なくとも解除用の暗証番号のキー入力以外のキー入力を無効とする手段とを有することを特徴とする携帯電話機。
【請求項６】
前記第２の筐体が前記第１の筐体に結合部を介して開閉自在に接続される折り畳み型端末において、
前記検知手段は、前記第１の筐体と前記第２筐体との開状態を前記第１及び第２筐体が互いに重なる状態の解除として検知することを特徴とする請求項５記載の携帯電話機。
【請求項７】
前記第２の筐体が前記キー操作部のキー操作面に沿って回転するように結合部を介して前記第１の筐体に接続される回転型端末において、
前記検知手段は、前記第１の筐体に対して前記第２筐体が前記結合部を中心に所定量回転した状態を前記第１及び第２筐体が互いに重なる状態の解除として検知することを特徴とする請求項５記載の携帯電話機。
【請求項８】
前記第２の筐体が前記第１の筐体を長手方向にスライドさせて収納自在とするスライド収納型端末において、
前記検知手段は、前記第１の筐体に対して第２筐体が所定量スライドした状態を前記第１及び第２筐体が互いに重なる状態の解除として検知することを特徴とする請求項５記載の携帯電話機。
【請求項９】
キー操作部を含む第１の筐体と、前記第１の筐体に開閉自在に接続する第２の筐体とからなる折り畳み型携帯電話機であって、自端末が発着信の待ち受け状態で前記第１及び第２筐体の閉状態が検知されてから予め設定された設定時間が計時された時に前記キー操作部における少なくとも解除用の暗証番号のキー入力以外のキー入力を無効とすることを特徴とする折り畳み型携帯電話機。
【請求項１０】
キー操作部を含む第１の筐体と、前記第１の筐体に開閉自在に接続する第２の筐体とからなる折り畳み型携帯電話機であって、自端末が発着信の待ち受け状態か否かを判定する判定手段と、前記第１及び第２の筐体の開状態及び閉状態を検知する検知手段と、前記検知手段が前記第１及び第２の筐体の閉状態を検知してから予め設定された設定時間を計時する計時手段と、前記判定手段が前記待ち受け状態と判定しかつ前記計時手段が前記設定時間の経過を検出した時に前記キー操作部における少なくとも解除用の暗証番号のキー入力以外のキー入力を無効とする手段とを有することを特徴とする折り畳み型携帯電話機。
【請求項１１】
前記キー入力を無効とする手段は、前記キー操作部におけるキー入力を自動的に抑止するための設定情報が予め設定されている時に前記キー入力を無効とすることを特徴とする請求項５と請求項６と請求項１０とのうちのいずれかに記載の折り畳み型携帯電話機。
【請求項１２】
前記計時手段は、前記設定時間が経過する前に予め設定された所定操作が行われた時に計時カウントを一旦クリアしてから当該設定時間の計時を再開することを特徴とする請求項５と請求項６と請求項１０と請求項１１とのうちのいずれかに記載の折り畳み型携帯電話機。
【請求項１３】
外部からの指示情報に基づいて前記設定時間を設定する手段を含むことを特徴とする請求項５と請求項６と請求項１０と請求項１１と請求項１２とのうちのいずれかに記載の折り畳み型携帯電話機。
【請求項１４】
キー操作部を含む第１の筐体と、前記第１の筐体に接続される第２の筐体とからなる携帯電話機であって、自端末が発着信の待ち受け状態で前記第１及び第２筐体の特定状態が検知されてから予め設定された設定時間が計時された時に前記キー操作部における少なくとも解除用の暗証番号のキー入力以外のキー入力を無効とすることを特徴とする携帯電話機。
【請求項１５】
前記第２の筐体が前記第１の筐体に結合部を介して開閉自在に接続される折り畳み型端末であることを特徴とする請求項１４記載の携帯電話機。
【請求項１６】
前記第２の筐体が前記キー操作部のキー操作面に沿って回転するように結合部を介して前記第１の筐体に接続される回転型端末であることを特徴とする請求項１４記載の携帯電話機。
【請求項１７】
前記第２の筐体が前記第１の筐体を長手方向にスライドさせて収納自在とするスライド収納型端末であることを特徴とする請求項１４記載の携帯電話機。
【請求項１８】
キー操作部を含む第１の筐体と、前記第１の筐体に接続する第２の筐体とからなる携帯電話機であって、自端末が発着信の待ち受け状態か否かを判定する判定手段と、前記第１及び第２の筐体の特定状態を検知する検知手段と、前記検知手段が前記特定状態を検知してから予め設定された設定時間を計時する計時手段と、前記判定手段が前記待ち受け状態と判定しかつ前記計時手段が前記設定時間の経過を検出した時に前記キー操作部における少なくとも解除用の暗証番号のキー入力以外のキー入力を無効とする手段とを有することを特徴とする携帯電話機。
【請求項１９】
前記検知手段は、前記第１及び第２筐体が互いに重なる状態及び前記第１及び第２筐体が互いに重なる状態の解除のいずれかを前記特定状態として検知することを特徴とする請求項１８記載の携帯電話機。
【請求項２０】
前記第２の筐体が前記第１の筐体に結合部を介して開閉自在に接続される折り畳み型端末において、
前記検知手段は、前記第１の筐体と前記第２筐体との開状態を前記第１及び第２筐体が互いに重なる状態の解除として検知することを特徴とする請求項１９記載の携帯電話機。
【請求項２１】
前記第２の筐体が前記キー操作部のキー操作面に沿って回転するように結合部を介して前記第１の筐体に接続される回転型端末において、
前記検知手段は、前記第１の筐体に対して前記第２筐体が前記結合部を中心に所定量回転した状態を前記第１及び第２筐体が互いに重なる状態の解除として検知することを特徴とする請求項１９記載の携帯電話機。
【請求項２２】
前記第２の筐体が前記第１の筐体を長手方向にスライドさせて収納自在とするスライド収納型端末において、
前記検知手段は、前記第１の筐体に対して第２筐体が所定量スライドした状態を前記第１及び第２筐体が互いに重なる状態の解除として検知することを特徴とする請求項１９記載の携帯電話機。
【請求項２３】
前記キー入力を無効とする手段は、前記キー操作部におけるキー入力を自動的に抑止するための設定情報が予め設定されている時に前記キー入力を無効とすることを特徴とする請求項１８から請求項２２のいずれか記載の携帯電話機。
【請求項２４】
前記計時手段は、前記設定時間が経過する前に予め設定された所定操作が行われた時に計時カウントを一旦クリアしてから当該設定時間の計時を再開することを特徴とする請求項１８から請求項２３のいずれか記載の携帯電話機。
【請求項２５】
外部から指示情報に基づいて前記設定時間を設定する手段を含むことを特徴とする請求項１８から請求項２３のいずれか記載の携帯電話機。
【請求項２６】
前記計時手段は、前記設定時間が経過する前に予め設定された所定操作が行われた時に前記設定時間の経過の検出を一旦クリアしてから当該設定時間の経過の検出を再開することを特徴とする請求項１８から請求項２５のいずれか記載の携帯電話機。
【請求項２７】
サイドキーによって前記所定操作が行われた時に前記設定時間の経過の検出を一旦クリアしてから当該設定時間の経過の検出を再開することを特徴とする請求項２４記載の携帯電話機。
【請求項２８】
キー操作部を含む第１の筐体と、前記第１の筐体に開閉自在に接続する第２の筐体とからなる折り畳み型携帯電話機であって、自端末が発着信の待ち受け状態で前記第１及び第２筐体の特定状態が検知されてから予め設定された設定時間が計時された時に前記キー操作部における少なくとも解除用の暗証番号のキー入力以外のキー入力を無効とすることを特徴とする折り畳み型携帯電話機。
【請求項２９】
キー操作部を含む第１の筐体と、前記第１の筐体に開閉自在に接続する第２の筐体とからなる折り畳み型携帯電話機であって、自端末が発着信の待ち受け状態か否かを判定する判定手段と、前記第１及び第２の筐体の開状態及び閉状態を検知する検知手段と、前記検知手段が予め設定された前記第１及び第２の筐体の特定状態を検知してから予め設定された設定時間を計時する計時手段と、前記判定手段が前記待ち受け状態と判定しかつ前記計時手段が前記設定時間の経過を検出した時に前記キー操作部における少なくとも解除用の暗証番号のキー入力以外のキー入力を無効とする手段とを有することを特徴とする折り畳み型携帯電話機。
【請求項３０】
前記キー入力を無効とする手段は、前記キー操作部におけるキー入力を自動的に抑止するための設定情報が予め設定されている時に前記キー入力を無効とすることを特徴とする請求項２９記載の折り畳み型携帯電話機。
【請求項３１】
前記計時手段は、前記設定時間が経過する前に予め設定された所定操作が行われた時に計時カウントを一旦クリアしてから当該設定時間の計時を再開することを特徴とする請求項２９または請求項３０記載の折り畳み型携帯電話機。
【請求項３２】
外部から指示情報に基づいて前記設定時間を設定する手段を含むことを特徴とする請求項２９から請求項３１のいずれか記載の折り畳み型携帯電話機。
【請求項３３】
前記計時手段は、前記設定時間が経過する前に予め設定された所定操作が行われた時に前記設定時間の経過の検出を一旦クリアしてから当該設定時間の経過の検出を再開することを特徴とする請求項２８から請求項３２のいずれか記載の折り畳み型携帯電話機。
【請求項３４】
サイドキーによって前記所定操作が行われた時に前記設定時間の経過の検出を一旦クリアしてから当該設定時間の経過の検出を再開することを特徴とする請求項３３記載の折り畳み型携帯電話機。
【請求項３５】
前記特定状態は、前記第１及び第２の筐体の開状態及び閉状態のうちの少なくとも一方であることを特徴とする請求項２８から請求項３４のいずれか記載の折り畳み型携帯電話機。
【請求項３６】
キー操作部を含む第１の筐体と、前記第１の筐体に接続される第２の筐体とからなる携帯電話機のオートダイヤルロック方法であって、自端末が発着信の待ち受け状態か否かを判定する第１のステップと、前記第１及び第２の筐体が互いに重なる状態及び前記第１及び第２筐体が互いに重なる状態の解除を検知する第２のステップと、前記第１及び第２の筐体が互いに重なる状態を検知してから予め設定された設定時間が経過したかを判定する第３のステップと、前記待ち受け状態と判定されかつ前記設定時間の経過が検出された時に前記キー操作部における少なくとも解除用の暗証番号のキー入力以外のキー入力を無効とする第４のステップとを有することを特徴とするオートダイヤルロック方法。
【請求項３７】
前記第２の筐体が前記第１の筐体に結合部を介して開閉自在に接続される折り畳み型端末において、
前記第２のステップは、前記第１の筐体と前記第２筐体との開状態を前記第１及び第２筐体が互いに重なる状態の解除として検知することを特徴とする請求項３６記載のオートダイヤルロック方法。
【請求項３８】
前記第２の筐体が前記キー操作部のキー操作面に沿って回転するように結合部を介して前記第１の筐体に接続される回転型端末において、
前記第２のステップは、前記第１の筐体に対して前記第２筐体が前記結合部を中心に所定量回転した状態を前記第１及び第２筐体が互いに重なる状態の解除として検知することを特徴とする請求項３６記載のオートダイヤルロック方法。
【請求項３９】
前記第２の筐体が前記第１の筐体を長手方向にスライドさせて収納自在とするスライド収納型端末において、
前記第２のステップは、前記第１の筐体に対して第２筐体が所定量スライドした状態を前記第１及び第２筐体が互いに重なる状態の解除として検知することを特徴とする請求項３６記載のオートダイヤルロック方法。
【請求項４０】
前記第４のステップは、前記キー操作部におけるキー入力を自動的に抑止するための設定情報が予め設定されている時に前記キー入力を無効とすることを特徴とする請求項３６から請求項３９のいずれか記載のオートダイヤルロック方法。
【請求項４１】
前記設定時間が経過する前に予め設定された所定操作が行われた時に前記設定時間の経過の検出を一旦クリアしてから当該設定時間の経過の検出を再開することを特徴とする請求項３６から請求項４０のいずれか記載のオートダイヤルロック方法。
【請求項４２】
キー操作部を含む第１の筐体と、前記第１の筐体に接続される第２の筐体とからなる携帯電話機のオートダイヤルロック方法であって、自端末が発着信の待ち受け状態か否かを判定する第１のステップと、前記第１及び第２の筐体の特定状態を検知する第２のステップと、前記特定状態が検知されてから予め設定された設定時間が経過したかを判定する第３のステップと、前記待ち受け状態と判定されかつ前記設定時間の経過が検出された時に前記キー操作部における少なくとも解除用の暗証番号のキー入力以外のキー入力を無効とする第４のステップとを有することを特徴とするオートダイヤルロック方法。
【請求項４３】
前記第２のステップは、前記第１及び第２筐体が互いに重なる状態及び前記第１及び第２筐体が互いに重なる状態の解除のいずれかを前記特定状態として検知することを特徴とする請求項４２記載のオートダイヤルロック方法。
【請求項４４】
前記第２の筐体が前記第１の筐体に結合部を介して開閉自在に接続される折り畳み型端末において、
前記第２のステップは、前記第１の筐体と前記第２筐体との開状態を前記第１及び第２筐体が互いに重なる状態の解除として検知することを特徴とする請求項４２記載のオートダイヤルロック方法。
【請求項４５】
前記第２の筐体が前記キー操作部のキー操作面に沿って回転するように結合部を介して前記第１の筐体に接続される回転型端末において、
前記第２のステップは、前記第１の筐体に対して前記第２筐体が前記結合部を中心に所定量回転した状態を前記第１及び第２筐体が互いに重なる状態の解除として検知することを特徴とする請求項４２記載のオートダイヤルロック方法。
【請求項４６】
前記第２の筐体が前記第１の筐体を長手方向にスライドさせて収納自在とするスライド収納型端末において、
前記第２のステップは、前記第１の筐体に対して第２筐体が所定量スライドした状態を前記第１及び第２筐体が互いに重なる状態の解除として検知することを特徴とする請求項４２記載のオートダイヤルロック方法。
【請求項４７】
前記第４のステップは、前記キー操作部におけるキー入力を自動的に抑止するための設定情報が予め設定されている時に前記キー入力を無効とすることを特徴とする請求項４２から請求項４６記載のオートダイヤルロック方法。
【請求項４８】
前記設定時間が経過する前に予め設定された所定操作が行われた時に前記設定時間の経過の検出を一旦クリアしてから当該設定時間の経過の検出を再開することを特徴とする請求項４２から請求項４８のいずれか記載のオートダイヤルロック方法。
【請求項４９】
サイドキーによって前記所定操作が行われた時に前記設定時間の経過の検出を一旦クリアしてから当該設定時間の経過の検出を再開することを特徴とする請求項４８記載のオートダイヤルロック方法。
【請求項５０】
キー操作部を含む第１の筐体と、前記第１の筐体に開閉自在に接続する第２の筐体とからなる折り畳み型携帯電話機のオートダイヤルロック方法であって、自端末が発着信の待ち受け状態か否かを判定するステップと、前記第１及び第２の筐体の開状態及び閉状態を検知するステップと、前記第１及び第２の筐体の閉状態が検知されてから予め設定された設定時間が経過したかを判定するステップと、前記待ち受け状態と判定されかつ前記設定時間の経過が検出された時に前記キー操作部における少なくとも解除用の暗証番号のキー入力以外のキー入力を無効とするステップとを有することを特徴とするオートダイヤルロック方法。
【請求項５１】
前記キー入力を無効とするステップは、前記キー操作部におけるキー入力を自動的に抑止するための設定情報が予め設定されている時に前記キー入力を無効とすることを特徴とする請求項１４記載のオートダイヤルロック方法。
【請求項５２】
前記設定時間が経過する前に予め設定された所定操作が行われた時に前記設定時間の経過の検出を一旦クリアしてから当該設定時間の経過の検出を再開することを特徴とする請求項５０または請求項５１記載のオートダイヤルロック方法。
【請求項５３】
キー操作部を含む第１の筐体と、前記第１の筐体に開閉自在に接続する第２の筐体とからなる折り畳み型携帯電話機のオートダイヤルロック方法であって、自端末が発着信の待ち受け状態か否かを判定するステップと、前記第１及び第２の筐体の特定状態を検知するステップと、前記特定状態が検知されてから予め設定された設定時間が経過したかを判定するステップと、前記待ち受け状態と判定されかつ前記設定時間の経過が検出された時に前記キー操作部における少なくとも解除用の暗証番号のキー入力以外のキー入力を無効とするステップとを有することを特徴とするオートダイヤルロック方法。
【請求項５４】
前記キー入力を無効とするステップは、前記キー操作部におけるキー入力を自動的に抑止するための設定情報が予め設定されている時に前記キー入力を無効とすることを特徴とする請求項５３記載のオートダイヤルロック方法。
【請求項５５】
前記設定時間が経過する前に予め設定された所定操作が行われた時に前記設定時間の経過の検出を一旦クリアしてから当該設定時間の経過の検出を再開することを特徴とする請求項５３または請求項５４記載のオートダイヤルロック方法。
【請求項５６】
サイドキーによって前記所定操作が行われた時に前記設定時間の経過の検出を一旦クリアしてから当該設定時間の経過の検出を再開することを特徴とする請求項５５記載のオートダイヤルロック方法。
【請求項５７】
前記特定状態は、前記第１及び第２の筐体の開状態及び閉状態のうちの少なくとも一方であることを特徴とする請求項５３から請求項５６のいずれか記載のオートダイヤルロック方法。
【請求項５８】
キー操作部を含む第１の筐体と、前記第１の筐体に接続される第２の筐体とからなる携帯電話機のオートダイヤルロック方法のプログラムであって、コンピュータに、自端末が発着信の待ち受け状態か否かを判定する処理と、前記第１及び第２の筐体が互いに重なる状態及び前記第１及び第２筐体が互いに重なる状態の解除を検知する処理と、前記第１及び第２の筐体が互いに重なる状態の閉状態が検知されてから予め設定された設定時間が経過したかを判定する処理と、前記待ち受け状態と判定されかつ前記設定時間の経過が検出された時に前記キー操作部における少なくとも解除用の暗証番号のキー入力以外のキー入力を無効とする処理とを実行させるためのプログラム。
【請求項５９】
キー操作部を含む第１の筐体と、前記第１の筐体に接続する第２の筐体とからなる折り畳み型携帯電話機のオートダイヤルロック方法のプログラムであって、コンピュータに、自端末が発着信の待ち受け状態か否かを判定する処理と、前記第１及び第２の筐体の特定状態を検知する処理と、前記特定状態が検知されてから予め設定された設定時間が経過したかを判定する処理と、前記待ち受け状態と判定されかつ前記設定時間の経過が検出された時に前記キー操作部における少なくとも解除用の暗証番号のキー入力以外のキー入力を無効とする処理とを実行させるためのプログラム。
【請求項６０】
キー操作部を含む第１の筐体と、前記第１の筐体に開閉自在に接続する第２の筐体とからなる折り畳み型携帯電話機のオートダイヤルロック方法のプログラムであって、コンピュータに、自端末が発着信の待ち受け状態か否かを判定する処理と、前記第１及び第２の筐体の開状態及び閉状態を検知する処理と、前記第１及び第２の筐体の閉状態が検知されてから予め設定された設定時間が経過したかを判定する処理と、前記待ち受け状態と判定されかつ前記設定時間の経過が検出された時に前記キー操作部における少なくとも解除用の暗証番号のキー入力以外のキー入力を無効とする処理とを実行させるためのプログラム。
【請求項６１】
キー操作部を含む第１の筐体と、前記第１の筐体に開閉自在に接続する第２の筐体とからなる折り畳み型携帯電話機のオートダイヤルロック方法のプログラムであって、コンピュータに、自端末が発着信の待ち受け状態か否かを判定する処理と、前記第１及び第２の筐体の特定状態を検知する処理と、予め設定された前記第１及び第２の筐体の特定状態が検知されてから予め設定された設定時間が経過したかを判定する処理と、前記待ち受け状態と判定されかつ前記設定時間の経過が検出された時に前記キー操作部における少なくとも解除用の暗証番号のキー入力以外のキー入力を無効とする処理とを実行させるためのプログラム。
【発明の詳細な説明】
【技術分野】
【０００１】
本発明は携帯電話機及びそれに用いるオートダイヤルロック方法並びにそのプログラムに関し、特に携帯電話機におけるキー入力を無効とするダイヤルロック方法に関する。
【背景技術】
【０００２】
従来、携帯電話機においては、盗難や置き忘れによる紛失時に他人に無断使用されないように、あるいは鞄等への収納時に誤ってキー入力が行われないようにするために、解除用の暗証番号のキー入力等以外のキー入力を無効とするダイヤルロック機能を備えている（例えば、非特許文献１参照）。
【０００３】
この携帯電話機では予め設定されたキーの組合せを押下するか、あるいは操作メニューや設定メニューの中のダイヤルロック機能の項目を選択することで、ダイヤルロック機能が有効となり、解除用の暗証番号のキー入力以外のキー入力が即座に無効とされる。
【０００４】
【非特許文献１】「誤動作を防ぐダイヤルロック」［ＮＴＴドコモ（Ｒ）、ムーバＮ５０４ｉ取扱説明書、基本編、第２０頁、２００２年４月］
【発明の開示】
【発明が解決しようとする課題】
【０００５】
上述した従来の携帯電話機では、紛失時の無断使用や収納時の誤操作を防ぐためにダイヤルロック機能が搭載されているが、ダイヤルロック機能を有効にするためのキーの組合せを覚えておくか、あるいは設定を行う毎に、操作メニューや設定メニューの中からダイヤルロック機能の項目を探さなければならない。
【０００６】
そのため、ダイヤルロック機能が搭載されていることを知っていても、設定操作が煩しいため、わざわざその設定操作を行うことで、ダイヤルロック機能を使用しようとするユーザは少ない。
【０００７】
そこで、本発明の目的は上記の問題点を解消し、簡単な操作でダイヤルロック機能を有効にすることができる携帯電話機及びそれに用いるオートダイヤルロック方法並びにそのプログラムを提供することにある。
【課題を解決するための手段】
【０００８】
本発明による第１の携帯電話機は、キー操作部を含む第１の筐体と、前記第１の筐体に接続される第２の筐体とからなる携帯電話機であって、自端末が発着信の待ち受け状態で前記第１及び第２筐体が互いに重なる状態が検知されてから予め設定された設定時間が計時された時に前記キー操作部における少なくとも解除用の暗証番号のキー入力以外のキー入力を無効としている。
【０００９】
本発明による第２の携帯電話機は、キー操作部を含む第１の筐体と、前記第１の筐体に接続される第２の筐体とからなる携帯電話機であって、自端末が発着信の待ち受け状態か否かを判定する判定手段と、前記第１及び第２筐体が互いに重なる状態及び前記第１及び第２筐体が互いに重なる状態の解除を検知する検知手段と、前記検知手段が前記第１及び第２の筐体が互いに重なる状態を検知してから予め設定された設定時間を計時する計時手段と、前記判定手段が前記待ち受け状態と判定しかつ前記計時手段が前記設定時間の経過を検出した時に前記キー操作部における少なくとも解除用の暗証番号のキー入力以外のキー入力を無効とする手段とを備えている。
【００１０】
本発明による第３の携帯電話機は、キー操作部を含む第１の筐体と、前記第１の筐体に開閉自在に接続する第２の筐体とからなる折り畳み型携帯電話機であって、自端末が発着信の待ち受け状態か否かを判定する判定手段と、前記第１及び第２の筐体の開状態及び閉状態を検知する検知手段と、前記検知手段が前記第１及び第２の筐体の閉状態を検知してから予め設定された設定時間を計時する計時手段と、前記判定手段が前記待ち受け状態と判定しかつ前記計時手段が前記設定時間の経過を検出した時に前記キー操作部における少なくとも解除用の暗証番号のキー入力以外のキー入力を無効とする手段とを備えている。
【００１１】
本発明による第４の携帯電話機は、キー操作部を含む第１の筐体と、前記第１の筐体に接続される第２の筐体とからなる携帯電話機であって、自端末が発着信の待ち受け状態で前記第１及び第２筐体の特定状態が検知されてから予め設定された設定時間が計時された時に前記キー操作部における少なくとも解除用の暗証番号のキー入力以外のキー入力を無効としている。
【００１２】
本発明による第５の携帯電話機は、キー操作部を含む第１の筐体と、前記第１の筐体に接続する第２の筐体とからなる携帯電話機であって、自端末が発着信の待ち受け状態か否かを判定する判定手段と、前記第１及び第２の筐体の特定状態を検知する検知手段と、前記検知手段が前記特定状態を検知してから予め設定された設定時間を計時する計時手段と、前記判定手段が前記待ち受け状態と判定しかつ前記計時手段が前記設定時間の経過を検出した時に前記キー操作部における少なくとも解除用の暗証番号のキー入力以外のキー入力を無効とする手段とを備えている。
【００１３】
本発明による第６の携帯電話機は、キー操作部を含む第１の筐体と、前記第１の筐体に開閉自在に接続する第２の筐体とからなる折り畳み型携帯電話機であって、自端末が発着信の待ち受け状態で前記第１及び第２筐体の特定状態が検知されてから予め設定された設定時間が計時された時に前記キー操作部における少なくとも解除用の暗証番号のキー入力以外のキー入力を無効としている。
【００１４】
本発明による第７の携帯電話機は、キー操作部を含む第１の筐体と、前記第１の筐体に開閉自在に接続する第２の筐体とからなる折り畳み型携帯電話機であって、自端末が発着信の待ち受け状態か否かを判定する判定手段と、前記第１及び第２の筐体の開状態及び閉状態を検知する検知手段と、前記検知手段が予め設定された前記第１及び第２の筐体の特定状態を検知してから予め設定された設定時間を計時する計時手段と、前記判定手段が前記待ち受け状態と判定しかつ前記計時手段が前記設定時間の経過を検出した時に前記キー操作部における少なくとも解除用の暗証番号のキー入力以外のキー入力を無効とする手段とを備えている。
【００１５】
本発明による第１のオートダイヤルロック方法は、キー操作部を含む第１の筐体と、前記第１の筐体に接続される第２の筐体とからなる携帯電話機のオートダイヤルロック方法であって、自端末が発着信の待ち受け状態か否かを判定する第１のステップと、前記第１及び第２の筐体が互いに重なる状態及び前記第１及び第２筐体が互いに重なる状態の解除を検知する第２のステップと、前記第１及び第２の筐体が互いに重なる状態を検知してから予め設定された設定時間が経過したかを判定する第３のステップと、前記待ち受け状態と判定されかつ前記設定時間の経過が検出された時に前記キー操作部における少なくとも解除用の暗証番号のキー入力以外のキー入力を無効とする第４のステップとを備えている。
【００１６】
本発明による第２のオートダイヤルロック方法は、キー操作部を含む第１の筐体と、前記第１の筐体に接続される第２の筐体とからなる携帯電話機のオートダイヤルロック方法であって、自端末が発着信の待ち受け状態か否かを判定する第１のステップと、前記第１及び第２の筐体の特定状態を検知する第２のステップと、前記特定状態が検知されてから予め設定された設定時間が経過したかを判定する第３のステップと、前記待ち受け状態と判定されかつ前記設定時間の経過が検出された時に前記キー操作部における少なくとも解除用の暗証番号のキー入力以外のキー入力を無効とする第４のステップとを備えている。
【００１７】
本発明による第３のオートダイヤルロック方法は、キー操作部を含む第１の筐体と、前記第１の筐体に開閉自在に接続する第２の筐体とからなる折り畳み型携帯電話機のオートダイヤルロック方法であって、自端末が発着信の待ち受け状態か否かを判定するステップと、前記第１及び第２の筐体の開状態及び閉状態を検知するステップと、前記第１及び第２の筐体の閉状態が検知されてから予め設定された設定時間が経過したかを判定するステップと、前記待ち受け状態と判定されかつ前記設定時間の経過が検出された時に前記キー操作部における少なくとも解除用の暗証番号のキー入力以外のキー入力を無効とするステップとを備えている。
【００１８】
本発明による第４のオートダイヤルロック方法は、キー操作部を含む第１の筐体と、前記第１の筐体に開閉自在に接続する第２の筐体とからなる折り畳み型携帯電話機のオートダイヤルロック方法であって、自端末が発着信の待ち受け状態か否かを判定するステップと、前記第１及び第２の筐体の特定状態を検知するステップと、前記特定状態が検知されてから予め設定された設定時間が経過したかを判定するステップと、前記待ち受け状態と判定されかつ前記設定時間の経過が検出された時に前記キー操作部における少なくとも解除用の暗証番号のキー入力以外のキー入力を無効とするステップとを備えている。
【００１９】
本発明による第１のオートダイヤルロック方法のプログラムは、キー操作部を含む第１の筐体と、前記第１の筐体に接続される第２の筐体とからなる携帯電話機のオートダイヤルロック方法のプログラムであって、コンピュータに、自端末が発着信の待ち受け状態か否かを判定する処理と、前記第１及び第２の筐体が互いに重なる状態及び前記第１及び第２筐体が互いに重なる状態の解除を検知する処理と、前記第１及び第２の筐体が互いに重なる状態の閉状態が検知されてから予め設定された設定時間が経過したかを判定する処理と、前記待ち受け状態と判定されかつ前記設定時間の経過が検出された時に前記キー操作部における少なくとも解除用の暗証番号のキー入力以外のキー入力を無効とする処理とを実行させている。
【００２０】
本発明による第２のオートダイヤルロック方法のプログラムは、キー操作部を含む第１の筐体と、前記第１の筐体に接続する第２の筐体とからなる折り畳み型携帯電話機のオートダイヤルロック方法のプログラムであって、コンピュータに、自端末が発着信の待ち受け状態か否かを判定する処理と、前記第１及び第２の筐体の特定状態を検知する処理と、前記特定状態が検知されてから予め設定された設定時間が経過したかを判定する処理と、前記待ち受け状態と判定されかつ前記設定時間の経過が検出された時に前記キー操作部における少なくとも解除用の暗証番号のキー入力以外のキー入力を無効とする処理とを実行させている。
【００２１】
本発明による第３のオートダイヤルロック方法のプログラムは、キー操作部を含む第１の筐体と、前記第１の筐体に開閉自在に接続する第２の筐体とからなる折り畳み型携帯電話機のオートダイヤルロック方法のプログラムであって、コンピュータに、自端末が発着信の待ち受け状態か否かを判定する処理と、前記第１及び第２の筐体の開状態及び閉状態を検知する処理と、前記第１及び第２の筐体の閉状態が検知されてから予め設定された設定時間が経過したかを判定する処理と、前記待ち受け状態と判定されかつ前記設定時間の経過が検出された時に前記キー操作部における少なくとも解除用の暗証番号のキー入力以外のキー入力を無効とする処理とを実行させている。
【００２２】
本発明による第４のオートダイヤルロック方法のプログラムは、キー操作部を含む第１の筐体と、前記第１の筐体に開閉自在に接続する第２の筐体とからなる折り畳み型携帯電話機のオートダイヤルロック方法のプログラムであって、コンピュータに、自端末が発着信の待ち受け状態か否かを判定する処理と、前記第１及び第２の筐体の特定状態を検知する処理と、予め設定された前記第１及び第２の筐体の特定状態が検知されてから予め設定された設定時間が経過したかを判定する処理と、前記待ち受け状態と判定されかつ前記設定時間の経過が検出された時に前記キー操作部における少なくとも解除用の暗証番号のキー入力以外のキー入力を無効とする処理とを実行させている。
【００２３】
すなわち、本発明の携帯電話機は、表示部を搭載する上側筐体と、キー操作部を搭載する下側筐体とを接続する携帯電話機において、自端末が発着信の待ち受け状態の際に上側筐体と下側筐体とが互いに重なる状態となってから予め設定された設定時間が経過した時に、キー操作部において少なくとも解除用の暗証番号のキー入力以外のキー入力を無効とするダイヤルロックを実行している。これによって、本発明の携帯電話機は、上側筐体と下側筐体とを互いに重なる状態とする動作及びその状態の解除動作に応答して自動的にダイヤルロックを行うオートダイヤルロックの設定を一度行えば、自動的にキー操作部に対してダイヤルロックが実行されるので、煩しいダイヤルロックの設定をその都度行うことなく、簡単な操作でダイヤルロック機能を有効にすることが可能となる。
【００２４】
上側筐体と下側筐体とを互いに重なる状態とする動作及びその状態の解除動作は、ヒンジ等を用いて開閉自在に接続する折り畳み型携帯電話機であれば上側筐体と下側筐体との開閉動作であり、上側筐体がキー操作面に沿って回転するように結合部を介して下側筐体に接続される回転型携帯電話機であれば上側筐体と下側筐体との開閉動作であり、上側筐体が下側筐体を長手方向にスライドさせて収納自在とするスライド収納型携帯電話機であれば上側筐体と下側筐体とのスライド動作である。
【００２５】
また、本発明の携帯電話機では、上記の設定時間が経過する前に予め設定された所定操作が行われた場合に設定時間を一旦クリアしてから当該設定時間の計時を再開するので、オートダイヤルロックの設定を一度行えば、途中に所定操作が行われても、自動的にキー操作部に対してダイヤルロックを実行するので、煩しいダイヤルロックの設定をその都度行うことなく、簡単な操作でダイヤルロック機能を有効にすることが可能となる。
【発明の効果】
【００２６】
本発明は、キー操作部を含む第１の筐体と、第１の筐体に接続される第２の筐体とからなる携帯電話機において、自端末が発着信の待ち受け状態で第１及び第２筐体が互いに重なる状態及びその状態の解除が検知されてから予め設定された設定時間が計時された時にキー操作部における少なくとも解除用の暗証番号のキー入力以外のキー入力を無効とするダイヤルロックを実行することによって、簡単な操作でダイヤルロック機能を有効にすることができるという効果が得られる。
【発明を実施するための最良の形態】
【００２７】
次に、本発明の実施例について図面を参照して説明する。図１は本発明の第１の実施例による折り畳み型携帯電話機の構成を示すブロック図である。図１において、折り畳み型携帯電話機１はアンテナ１１と、制御部１２と、メモリ１３と、タイマ１４と、キー操作部１５と、表示部１６と、無線部１７と、信号処理部１８と、筐体開閉検知機構１９と、記録媒体２０と、スピーカ２１と、マイク２２とから構成され、表示部１６を搭載する上側筐体（図示せず）と、キー操作部１５を搭載する下側筐体（図示せず）とをヒンジ等を用いて開閉自在に接続している。
【００２８】
アンテナ１１は電波の送受信を行い、キー操作部１５ではユーザが各種設定や暗証番号の操作、あるいは発着信の操作を行い、表示部１６は各種設定や暗証番号の操作、あるいは発着信の操作を行う際の操作メニューを表示する。無線部１７は無線関係の処理を行い、信号処理部１８は受信信号や送信信号を処理する。スピーカ２１は受信した音声を出力し、マイク２２は音声を入力する。
【００２９】
制御部１２はメモリ１３とタイマ１４とキー操作部１５と表示部１６と無線部１７と信号処理部１８とにそれぞれ接続され、それら各部の制御を行う。また、制御部１２は上述した暗証番号のキー入力等以外のキー入力を無効とするダイヤルロックをキー操作部１５に対して行うダイヤルロック手段１２１と、上側筐体と下側筐体との開閉動作に応答して自動的にダイヤルロック（以下、オートダイヤルロックとする）をキー操作部１５に対して行うオートダイヤルロック手段１２２とを備えている。
【００３０】
これら上側筐体と下側筐体との開閉動作は筐体開閉検知機構１９によって検知される。筐体開閉検知機構１９による開閉動作の検知は、例えば磁石を用いて上側筐体と下側筐体との開動作及び閉動作を検知する方法、マイクロスイッチのオン／オフで上側筐体と下側筐体との開動作及び閉動作を検知する方法等を使用して行われる。
【００３１】
メモリ１３は各種設定内容や暗証番号等を記憶している。タイマ１４は制御部１２によって起動されると、時間経過をカウントし始め、指定された時間が経過すると制御部１２にタイムアップを通知する。記録媒体２０は上記の各部の処理を実現するためのプログラム（コンピュータで実行可能なプログラム）を格納しており、制御部１２は記録媒体２０のプログラムを実行することで、上記の各部を制御する。
【００３２】
図２は本発明の第１の実施例による折り畳み型携帯電話機１のオートダイヤルロックの設定手順の一例を示す図である。この図２を参照して折り畳み型携帯電話機１のオートダイヤルロックの設定手順について説明する。
まず、折り畳み型携帯電話機１のオートダイヤルロックを設定する場合、表示部１６のメニュー画面上でオートダイヤルロックを選択し［図２（ａ）参照］、表示部１６の設定画面上でオートダイヤルロックを設定する［図２（ｂ）参照］。
【００３３】
この場合、オートダイヤルロックが起動されるまでの設定時間を入力する設定画面上で設定時間Ｎ（図の例では、Ｎ＝１２分）を指示すると［図２（ｃ）参照］、オートダイヤルロックが１２分後に開始されることが表示部１６に表示される［図２（ｄ）参照］。尚、図２においては、設定時間Ｎを０〜９９分としているが、これは一例であり、９９分以上であっても問題ない。また、設定時間Ｎが０分の場合には、筐体開閉検知機構１９によって上側筐体と下側筐体との閉状態が検知されると、即座にオートダイヤルロックが実行されることになる。
【００３４】
これ以降、折り畳み型携帯電話機１では発着信の待ち受け状態、つまり何らかの操作の途中やその操作の入力待ち以外の発着信の待ち受け状態になり、筐体開閉検知機構１９によって上側筐体と下側筐体との閉状態が検知された後に、タイマ１４が上記の設定時間のタイムアップを制御部１２に通知すると、オートダイヤルロック手段１２２がオートダイヤルロックを実行する。
【００３５】
一方、キー操作部１５から解除用の暗証番号が入力されると、オートダイヤルロック手段１２２によるオートダイヤルロックが解除されるが、再度、待ち受け状態となり、筐体開閉検知機構１９によって上側筐体と下側筐体との閉状態が検知されて設定時間が経過すると、新たにオートダイヤルロックの設定を行うことなく、オートダイヤルロックが実行される。
【００３６】
図３は本発明の第１の実施例による折り畳み型携帯電話機１のオートダイヤルロックの手順例を示すフローチャートである。これら図１〜図３を参照して本発明の第１の実施例による折り畳み型携帯電話機１のオートダイヤルロックの手順について説明する。
【００３７】
折り畳み型携帯電話機１の制御部１２は上記のオートダイヤルロックの設定が行われると、キー操作部１５と表示部１６と無線部１７と信号処理部１８とにおける各々の動作状態から発着信の待ち受け状態にあるかどうかを判定する（図３ステップＳ１）。制御部１２は待ち受け状態にないと判定すると、上記の各部による操作を継続して実行させる（図３ステップＳ２）。ここで、「待ち受け状態にない」場合とは、通話中、送信メールの編集中、受信メールの閲覧中、インタネットの閲覧中、各種設定項目の確認／設定中、着信メロディの作成中等の動作を行っている場合が考えられる。
【００３８】
制御部１２は待ち受け状態にあると判定すると、筐体開閉検知機構１９によって上側筐体と下側筐体との開状態が検知されれば（図３ステップＳ３）、上記の各部による操作を継続して実行させる（図３ステップＳ２）。制御部１２は筐体開閉検知機構１９によって上側筐体と下側筐体との閉状態が検知されれば（図３ステップＳ３）、オートダイヤルロック手段１２２の起動処理を実行する（図３ステップＳ４）。
【００３９】
制御部１２は上記のオートダイヤルロックの設定で入力された設定時間が経過すると（図３ステップＳ５）、オートダイヤルロック手段１２２にキー操作部１５に対するオートダイヤルロック処理を行わせる（図３ステップＳ６）。この後、折り畳み型携帯電話機１ではキー操作部１５が解除用の暗証番号のキー入力しか受け付けなくなる。
【００４０】
折り畳み型携帯電話機１において、キー操作部１５から解除用の暗証番号が入力され、その暗証番号が予め設定された暗証番号と一致すると（暗証番号が正しければ）（図３ステップＳ７）、制御部１２はオートダイヤルロック手段１２２によるオートダイヤルロックを解除する（図３ステップＳ８）。
【００４１】
制御部１２はキー操作部１５から入力された解除用の暗証番号が予め設定された暗証番号と一致せず（暗証番号が正しくなければ）（図３ステップＳ７）、この解除動作が予め設定されたしきい値未満であれば（図３ステップＳ９）、再度ステップＳ７に戻るが、解除動作がしきい値以上になると（図３ステップＳ９）、エラーを通知して電源を断とし、オートダイヤルロックの状態を維持する（図３ステップＳ１０）。
【００４２】
このように、本実施例では、オートダイヤルロックの設定を一度行えば、発着信の待ち受け状態の時に、上側筐体と下側筐体とが閉状態となってから設定時間が経過すると、自動的にキー操作部１５に対してダイヤルロックを実行するので、煩しいダイヤルロックの設定をその都度行うことなく、簡単な操作でダイヤルロック機能を有効にすることができる。
【００４３】
図４は本発明の第２の実施例による折り畳み型携帯電話機のオートダイヤルロックの手順例を示すフローチャートである。本発明の第２の実施例による折り畳み型携帯電話機は、図１に示す本発明の第１の実施例による折り畳み型携帯電話機１と同様の構成となっているので、これら図１及び図４を参照して本発明の第２の実施例による折り畳み型携帯電話機１のオートダイヤルロックの手順について説明する。
【００４４】
折り畳み型携帯電話機１の制御部１２は上記のオートダイヤルロックの設定が行われると、キー操作部１５と表示部１６と無線部１７と信号処理部１８とにおける各々の動作状態から発着信の待ち受け状態にあるかどうかを判定する（図４ステップＳ１１）。制御部１２は待ち受け状態にないと判定すると、上記の各部による操作を継続して実行させる（図４ステップＳ１２）。
【００４５】
制御部１２は待ち受け状態にあると判定すると、筐体開閉検知機構１９によって上側筐体と下側筐体との開状態が検知されれば（図４ステップＳ１３）、上記の各部による操作を継続して実行させる（図４ステップＳ１２）。制御部１２は筐体開閉検知機構１９によって上側筐体と下側筐体との閉状態が検知されれば（図４ステップＳ１３）、オートダイヤルロック手段１２２の起動処理を実行する（図４ステップＳ１４）。
【００４６】
制御部１２は上記のオートダイヤルロックの設定で入力された設定時間が経過する前に、予め設定された所定操作が行われると（図４ステップＳ１５）、タイマ１４をクリアし（図４ステップＳ１６）、ステップＳ１５に戻る。ここで、所定操作とは上側筐体と下側筐体との閉状態から開状態に移行する操作、サイドキー（図示せず）を押下する操作、外部接続端子に外部接続機器を接続する操作等を指し、これらの操作が行われた場合にはタイマ１４を一旦クリアした後に、ステップＳ１４に戻ってタイマ１４の再カウントが行われる。
【００４７】
制御部１２は上記のオートダイヤルロックの設定で入力された時間が経過すると（図４ステップＳ１７）、オートダイヤルロック手段１２２にキー操作部１５に対するオートダイヤルロック処理を行わせる（図４ステップＳ１８）。この後、折り畳み型携帯電話機１ではキー操作部１５が解除用の暗証番号のキー入力しか受け付けなくなる。
【００４８】
折り畳み型携帯電話機１において、キー操作部１５から解除用の暗証番号が入力され、その暗証番号が予め設定された暗証番号と一致すると（暗証番号が正しければ）（図４ステップＳ１９）、制御部１２はオートダイヤルロック手段１２２によるオートダイヤルロックを解除する（図４ステップＳ２０）。
【００４９】
制御部１２はキー操作部１５から入力された解除用の暗証番号が予め設定された暗証番号と一致しなければ（暗証番号が正しくなければ）（図４ステップＳ１９）、この解除動作が予め設定されたしきい値未満であれば（図４ステップＳ２１）、再度ステップＳ１９に戻るが、解除動作がしきい値以上になると（図４ステップＳ２２）、エラーを通知して電源を断とし、オートダイヤルロックの状態を維持する（図４ステップＳ２３）。
【００５０】
このように、本実施例では、オートダイヤルロックの設定を一度行えば、途中に所定操作が行われても、発着信の待ち受け状態の時に、上側筐体と下側筐体とが閉状態となってから設定時間が経過すると、自動的にキー操作部１５に対してダイヤルロックを実行するので、煩しいダイヤルロックの設定をその都度行うことなく、簡単な操作でダイヤルロック機能を有効にすることができる。
【００５１】
図５は本発明の第３の実施例による折り畳み型携帯電話機の構成を示すブロック図である。図５において、本発明の第３の実施例による折り畳み型携帯電話機２は、キー操作部１５のほかに側面キー操作部（サイドキー）２３を設けた以外は、図１に示す本発明の第１の実施例による折り畳み型携帯電話機１と同様の構成となっており、同一構成要素には同一符号を付してある。また同一構成要素の動作は本発明の第１の実施例と同様である。
【００５２】
側面キー操作部２３は上側筐体と下側筐体とが閉状態の時に操作を行うためのものであり、例えば、キー操作部１５に対して上記のオートダイヤルロックを行うための設定時間の計時に入ったとしても、側面キー操作部２３が押下されることで、設定時間の計時をいったんクリアし、０秒から設定時間の再計時を開始する。
【００５３】
これによって、本実施例では、上側筐体と下側筐体とを閉状態とした時でも、側面キー操作部２３の押下によってオートダイヤルロックが行われるまでの設定時間を延長させることができる。
【００５４】
図６は本発明の第４の実施例による折り畳み型携帯電話機のオートダイヤルロックの手順例を示すフローチャートである。本発明の第４の実施例による折り畳み型携帯電話機は、図１に示す本発明の第１の実施例による折り畳み型携帯電話機１と同様の構成となっているので、これら図１及び図６を参照して本発明の第４の実施例による折り畳み型携帯電話機１のオートダイヤルロックの手順について説明する。
【００５５】
折り畳み型携帯電話機１の制御部１２は上記のオートダイヤルロックの設定が行われると、キー操作部１５と表示部１６と無線部１７と信号処理部１８とにおける各々の動作状態から発着信の待ち受け状態にあるかどうかを判定する（図６ステップＳ３１）。
【００５６】
制御部１２は待ち受け状態にないと判定すると、上記の各部による操作を継続して実行させる（図６ステップＳ３２）。ここで、「待ち受け状態にない」場合とは、通話中、送信メールの編集中、受信メールの閲覧中、インタネットの閲覧中、各種設定項目の確認／設定中、着信メロディの作成中等の動作を行っている場合が考えられる。
【００５７】
制御部１２は待ち受け状態にあると判定すると、筐体開閉検知機構１９によって上側筐体と下側筐体との閉状態が検知されれば（図６ステップＳ３３）、上記の各部による操作を継続して実行させる（図３ステップＳ３２）。
【００５８】
制御部１２は筐体開閉検知機構１９によって上側筐体と下側筐体との開状態が検知されれば（図６ステップＳ３３）、オートダイヤルロック手段１２２の起動処理を実行する（図６ステップＳ３４）。
【００５９】
制御部１２は上記のオートダイヤルロックの設定で入力された設定時間が経過すると（図６ステップＳ３５）、オートダイヤルロック手段１２２にキー操作部１５に対するオートダイヤルロック処理を行わせる（図６ステップＳ３６）。この後、折り畳み型携帯電話機１ではキー操作部１５が解除用の暗証番号のキー入力しか受け付けなくなる。
【００６０】
折り畳み型携帯電話機１において、キー操作部１５から解除用の暗証番号が入力され、その暗証番号が予め設定された暗証番号と一致すると（暗証番号が正しければ）（図６ステップＳ３７）、制御部１２はオートダイヤルロック手段１２２によるオートダイヤルロックを解除する（図６ステップＳ３８）。
【００６１】
制御部１２はキー操作部１５から入力された解除用の暗証番号が予め設定された暗証番号と一致せず（暗証番号が正しくなければ）（図６ステップＳ３７）、この解除動作が予め設定されたしきい値未満であれば（図６ステップＳ３９）、再度ステップＳ３７に戻るが、解除動作がしきい値以上になると（図６ステップＳ３９）、エラーを通知して電源を断とし、オートダイヤルロックの状態を維持する（図６ステップＳ４０）。
【００６２】
このように、本実施例では、オートダイヤルロックの設定を一度行えば、発着信の待ち受け状態の時に、上側筐体と下側筐体とが開状態となってから設定時間が経過すると、自動的にキー操作部１５に対してダイヤルロックを実行するので、開状態でもオートダイヤルロックが可能となる。この場合、本実施例では、煩しいダイヤルロックの設定をその都度行うことなく、簡単な操作でダイヤルロック機能を有効にすることができる。
【００６３】
上述した本発明の第１〜第４の実施例においては、上側筐体と下側筐体とがヒンジ等で結合されて開閉動作を行う折り畳み型携帯電話機について述べたが、上記の各実施例の動作は、上側筐体と下側筐体とがヒンジ等で結合されて回転動作を行う回転型携帯電話機、上側筐体と下側筐体とがスライド動作を行うスライド収納型携帯電話機等にも適用可能である。
【００６４】
図７は本発明の第５の実施例による回転型携帯電話機の使用時の動作を示す図である。図７（ａ）は本発明の第５の実施例による回転型携帯電話機の第１の筐体２００と第２の筐体１００とが互いに重なった状態を示しており、図７（ｂ）は第１の筐体２００が第２の筐体１００に対して９０°回転させた状態を示し、図７（ｃ）は第１の筐体２００が第２の筐体１００に対してさらに９０°回転させた状態、つまり図７（ａ）の状態から１８０°回転させた状態を示している。
【００６５】
図７において、第１の筐体２００と第２の筐体１００とは結合部（回転ヒンジ）にて回動自在に接続されており、第１の筐体２００には表示部２０２と、スピーカ２０３とが配設され、第２の筐体１００にはマイク１０３が配設されている。
【００６６】
図８は本発明の第５の実施例による回転型携帯電話機の構成を示すブロック図である。図８において、本発明の第５の実施例による回転型携帯電話機３は、筐体開閉検知機構１９の代わりに筐体回転検知機構３１を設けた以外は、図１に示す本発明の第１の実施例による折り畳み型携帯電話機１と同様の構成となっており、同一構成要素には同一符号を付してある。また同一構成要素の動作は本発明の第１の実施例と同様である。
【００６７】
筐体回転検知機構３１は、上記の図７に示す第１の筐体２００と第２の筐体１００との回転動作を検知する。筐体回転検知機構３１による回転動作の検知は第１の筐体２００の回転動作に連動して回転するピン（図示せず）の位置を検出することで、第１の筐体２００と第２の筐体１００との位置関係が図７（ａ）の位置関係にあるのか、図７（ｂ）の位置関係にあるのか、図７（ｃ）の位置関係にあるのかが検出可能となる。尚、磁石を用いて第１の筐体２００と第２の筐体１００との位置関係を検出することも可能である。
【００６８】
本発明の第５の実施例による回転型携帯電話機３では、筐体回転検知機構３１によって第１の筐体２００と第２の筐体１００とが互いに重なった状態［図７（ａ）参照］が検知され、タイマ１４が上記の設定時間のタイムアップを制御部１２に通知すると、オートダイヤルロック手段１２２がオートダイヤルロックを実行する。
【００６９】
このように、本実施例では、オートダイヤルロックの設定を一度行えば、発着信の待ち受け状態の時に、筐体回転検知機構３１によって第１の筐体２００と第２の筐体１００とが互いに重なった状態［図７（ａ）］、あるいは図７（ｂ）や図７（ｃ）に示す状態が検知されてから設定時間が経過すると、自動的にキー操作部１５に対してダイヤルロックを実行するので、煩しいダイヤルロックの設定をその都度行うことなく、簡単な操作でダイヤルロック機能を有効にすることができる。
【００７０】
図９及び図１０は本発明の第６の実施例によるスライド収納型携帯電話機の使用時の動作を示す図である。図９（ａ），（ｂ）は本発明の第５の実施例によるスライド収納型携帯電話機の第１の筐体４００と第２の筐体３００とが互いに重なった状態、つまり第１の筐体４００に第２の筐体３００が収納されている状態を示しており、図１０（ａ），（ｂ）は第１の筐体４００から第２の筐体３００がスライドして引き出された状態を示している。
【００７１】
図１０において、第１の筐体４００と第２の筐体３００とは図示せぬレール機構等によって互いにスライド自在に接続されており、第１の筐体４００には表示部４０１と、スピーカ４０３とが配設され、第２の筐体３００にはスライドボタン３０１と、マイク３０２と、キー列３０３とが配設されている。
【００７２】
図１１は本発明の第６の実施例によるスライド収納型携帯電話機の構成を示すブロック図である。図１１において、本発明の第６の実施例によるスライド収納型携帯電話機４は、筐体開閉検知機構１９の代わりに筐体スライド検知機構４１を設けた以外は、図１に示す本発明の第１の実施例による折り畳み型携帯電話機１と同様の構成となっており、同一構成要素には同一符号を付してある。また同一構成要素の動作は本発明の第１の実施例と同様である。
【００７３】
筐体スライド検知機構４１は、上記の図９及び図１０に示す第１の筐体４００と第２の筐体３００とのスライド動作を検知する。筐体スライド検知機構４１による回転動作の検知は第２の筐体３００のスライド動作に連動して摺動するピン（図示せず）の位置を検出することで、第１の筐体４００と第２の筐体３００との位置関係が図９（ａ），（ｂ）の位置関係にあるのか、図１０（ａ），（ｂ）の位置関係にあるのかが検出可能となる。尚、磁石を用いて第１の筐体４００と第２の筐体３００との位置関係を検出することも可能である。
【００７４】
本発明の第６の実施例によるスライド収納型携帯電話機４では、筐体スライド検知機構４１によって第１の筐体４００と第２の筐体３００とが互いに重なった状態［図９（ａ），（ｂ）参照］が検知され、タイマ１４が上記の設定時間のタイムアップを制御部１２に通知すると、オートダイヤルロック手段１２２がオートダイヤルロックを実行する。
【００７５】
このように、本実施例では、オートダイヤルロックの設定を一度行えば、発着信の待ち受け状態の時に、筐体スライド検知機構４１によって第１の筐体４００と第２の筐体３００とが互いに重なった状態［図９（ａ），（ｂ）］、あるいは図１０（ａ），（ｂ）に示す状態が検知されてから設定時間が経過すると、自動的にキー操作部１５に対してダイヤルロックを実行するので、煩しいダイヤルロックの設定をその都度行うことなく、簡単な操作でダイヤルロック機能を有効にすることができる。
【００７６】
尚、本発明においては、上述した各実施例を組合せて用いることも可能であり、これに限定されない。また、上述した各実施例を組合せて用いる場合には、上側筐体と下側筐体との開状態及び閉状態の一方または両方を、または第１の筐体２００と第２の筐体１００とが互いに重なった状態及びその解除の一方または両方を、あるいは第１の筐体４００と第２の筐体３００とが互いに重なった状態及びその解除の一方または両方を外部から設定することができるものとする。
【図面の簡単な説明】
【００７７】
【図１】本発明の第１の実施例による折り畳み型携帯電話機の構成を示すブロック図である。
【図２】本発明の第１の実施例による折り畳み型携帯電話機のオートダイヤルロックの設定手順の一例を示す図である。
【図３】本発明の第１の実施例による折り畳み型携帯電話機のオートダイヤルロックの手順例を示すフローチャートである。
【図４】本発明の第２の実施例による折り畳み型携帯電話機のオートダイヤルロックの手順例を示すフローチャートである。
【図５】本発明の第３の実施例による折り畳み型携帯電話機の構成を示すブロック図である。
【図６】本発明の第４の実施例による折り畳み型携帯電話機のオートダイヤルロックの手順例を示すフローチャートである。
【図７】（ａ）〜（ｃ）は本発明の第５の実施例による回転型携帯電話機の使用時の動作を示す図である。
【図８】本発明の第５の実施例による回転型携帯電話機の構成を示すブロック図である。
【図９】（ａ），（ｂ）は本発明の第６の実施例によるスライド収納型携帯電話機の使用時の動作を示す図である。
【図１０】（ａ），（ｂ）は本発明の第６の実施例によるスライド収納型携帯電話機の使用時の動作を示す図である。
【図１１】本発明の第６の実施例によるスライド収納型携帯電話機の構成を示すブロック図である。
【符号の説明】
【００７８】
１  折り畳み型携帯電話機
１１  アンテナ
１２  制御部
１３  メモリ
１４  タイマ
１５  キー操作部
１６  表示部
１７  無線部
１８  信号処理部
１９  筐体開閉検知機構
２０  記録媒体
２１  スピーカ
２２  マイク
２３  側面キー操作部
３１  筐体回転検知機構
４１  筐体スライド検知機構
【図１】
2004343677.tif 000003
【図２】
2004343677.tif 000004
【図３】
2004343677.tif 000005
【図４】
2004343677.tif 000006
【図５】
2004343677.tif 000007
【図６】
2004343677.tif 000008
【図７】
2004343677.tif 000009
【図８】
2004343677.tif 000010
【図９】
2004343677.tif 000011
【図１０】
2004343677.tif 000012
【図１１】
2004343677.tif 000013